(57)【要約】【課題】天面板金ケースの天面の部分に前面板金ケースや背面板金ケースとのネジ止め用の孔を設けることなく、前面板金ケースや背面板金ケースと天面板金ケースとを固定できる撮像装置を提供する。【解決手段】天面板金ケースを、天面板と、周縁のうちの少なくとも一部が天面板と所定の間隔を開けて天面板に固定された固定板金ケースとで構成する。前面板金ケースまたは背面板金ケースに形成されたフランジを、天面板と固定板金ケースとの間に挿入し、フランジに設けられた嵌合孔に、固定板金ケースに設けられた嵌合ピンを嵌め込むことにより、前面板金ケースや背面板金ケースを天面板金ケースに固定する。【選択図】図４
2009048180.tif 000002
【特許請求の範囲】
【請求項１】
前面板金ケースまたは背面板金ケースと、天面板金ケースとが固定されることによって外装部材として形成された撮像装置であって、
前記天面板金ケースは、天面板と、周縁のうちの少なくとも一部が前記天面板と所定の間隔を開けて前記天面板に固定された係止板とを備え、
前記前面板金ケースまたは前記背面板金ケースは、前記天面板および前記係止板の間に挿入される挿入部を備え、
前記係止板および前記挿入部は、前記挿入部を前記係止板に固定するための固定手段を備える、撮像装置。
【請求項２】
前記係止板に前記天面板方向に突出した突起を設け、
前記挿入部に前記突起が嵌り込むための凹部を設け、
前記突起が前記凹部に嵌り込むことによって、前記固定手段を形成する、請求項１に記載の撮像装置。
【請求項３】
前記挿入部に前記係止板方向に突出した突起を設け、
前記係止板に前記突起が嵌り込むための凹部を設け、
前記突起が前記凹部に嵌り込むことによって、前記固定手段を形成する、請求項１に記載の撮像装置。
【請求項４】
前記係止板は、前記挿入部が前記天面板および前記係止板の間に挿入されている場合において、前記天面板方向に付勢され、前記挿入部に押し付けられている、請求項１に記載の撮像装置。
【発明の詳細な説明】
【技術分野】
【０００１】
本発明は撮像装置に関し、特に、板金を外装部材とする撮像装置に関する。
【背景技術】
【０００２】
従来より、前面板金ケース、背面板金ケースおよび天面板金ケースを備える撮像装置が製造販売されている（特許文献１参照）。従来の撮像装置では、天面板金ケースは、側面で前面板金ケースまたは背面板金ケースにネジ止め固定されていた。
【０００３】
しかしながら、従来の撮像装置の構成では、天面板金ケースの天面の部分は、前面板金ケースおよび背面板金ケースに固定されていない。そのため、前面板金ケースや背面板金ケースを撓ませることにより、前面板金ケースや背面板金ケースと天面板金ケースとの間に隙間が生じるなど、外観上好ましい状態ではなかった。
【特許文献１】特開２０００−２２７６２８号公報
【発明の開示】
【発明が解決しようとする課題】
【０００４】
この問題を解決するために、天面板金ケースの天面の部分にネジ止め用の孔を設け、天面の部分で、前面板金ケースや背面板金ケースと天面板金ケースとを固定することが考えられる。しかし、この構成では、天面板金ケースの天面の部分にネジ止め用の孔を設けるので、デザイン上好ましくない。
【０００５】
そこで、本発明は、天面板金ケースの天面の部分に前面板金ケースや背面板金ケースとのネジ止め用の孔を設けることなく、前面板金ケースや背面板金ケースと天面板金ケースとを固定できる撮像装置を提供することを目的とする。
【課題を解決するための手段】
【０００６】
上記目的を達成するために本発明にかかる撮像装置は、前面板金ケースまたは背面板金ケースと、天面板金ケースとが固定されることによって外装部材として形成された撮像装置であって、
前記天面板金ケースは、天面板と、周縁のうちの少なくとも一部が前記天面板と所定の間隔を開けて前記天面板に固定された係止板とを備え、
前記前面板金ケースまたは前記背面板金ケースは、前記天面板および前記係止板の間に挿入される挿入部を備え、
前記係止板および前記挿入部は、前記挿入部を前記係止板に固定するための固定手段を備える。
【０００７】
この場合、前記係止板に前記天面板方向に突出した突起を設け、前記挿入部に前記突起が嵌り込むための凹部を設け、前記突起が前記凹部に嵌り込むことによって、前記固定手段を形成するようにしてもよい。
【０００８】
あるいは、前記挿入部に前記係止板方向に突出した突起を設け、前記係止板に前記突起が嵌り込むための凹部を設け、前記突起が前記凹部に嵌り込むことによって、前記固定手段を形成するようにしてもよい。
【０００９】
また前記係止板は、前記挿入部が前記天面板および前記係止板の間に挿入されている場合において、前記天面板方向に付勢され、前記挿入部に押し付けられているようにしてもよい。
【発明の効果】
【００１０】
本発明によれば、天面板金ケースの天面の部分に前面板金ケースや背面板金ケースとのネジ止め用の孔を設けることなく、前面板金ケースや背面板金ケースと天面板金ケースとを固定できる。
【発明を実施するための最良の形態】
【００１１】
以下、本発明をデジタルスチルカメラ（以降、「カメラ」と略す）に適用した例について、図１、図２および図３を参照して説明する。図１は、本発明の実施の形態にかかるカメラ２０の斜視図である。また図２は、同カメラ２０を底面から見た斜視図である。図３は、同カメラ２０の分解斜視図である。なお図３中、本体ユニット１０については、煩雑さを避けるため輪郭のみ表示している。
【００１２】
前面板金ケース２５、背面板金ケース２６（図３参照）、天面板金ケース２１、底面板金ケース２４（図２参照）を互いに固定することにより、カメラ２０の外装部材を形成している。
【００１３】
左側面板金ケース２２ａは、天面板金ケース２１に固定されている。前面板金ケース２５、背面板金ケース２６、左側面板金ケース２２ａは、ネジ３０ａで共締めされている。
【００１４】
左側面板金ケース２２ｂおよび右側面板金ケース２３は、底面板金ケース２４に固定されている。前面板金ケース２５、背面板金ケース２６、左側面板金ケース２２ｂは、ネジ３０ｂで共締めされている。前面板金ケース２５、背面板金ケース２６、右側面板金ケース２３は、ネジ３０ｃで共締めされている。
【００１５】
図３に示すように、カメラ本体ユニット１０に、ネジ３０ａ〜３０ｆを用いて天面板金ケース２１、左側面板金ケース２２ａ、左側面板金ケース２２ｂ、右側面板金ケース２３および底面板金ケース２４を取り付ける。この際、図３では、ネジ３０ｃは右側面板金ケース２３に固定されているが、実際には、前面板金ケース２５、背面板金ケース２６および右側面板金ケース２３を取り付けた後、ネジ３０ｃでこれらのケースを共締めする。
【００１６】
カメラ本体ユニット１０に天面板金ケース２１、左側面板金ケース２２ａ、左側面板金ケース２２ｂ、右側面板金ケース２３および底面板金ケース２４を取り付けた後、前面板金ケース２５および背面板金ケース２６を取り付ける。
【００１７】
ここで、前面板金ケース２５には、フランジ２５ａを形成しておき、背面板金ケース２６には、フランジ２６ａを形成しておく。フランジ２５ａおよびフランジ２６ａは、天面板金ケース２１方向に突出した板体である。フランジ２５ａおよびフランジ２６ａには、嵌合孔２５ｂおよび嵌合孔２６ｂをそれぞれ設けておく。
【００１８】
図４は、図１のIV−IV線に沿って天面板金ケース２１、前面板金ケース２５および背面
板金ケース２６を切断した状態を示す要部斜視図である。天面板金ケース２１は、天面板と固定板金ケース２１ａとからなる。固定板金ケース２１ａは、天面板にスポット溶接で固定されている。固定板金ケース２１ａが天面板に固定された状態において、固定板金ケース２１ａは、周縁のうちの少なくとも一部が天面板と所定の間隔を開けるようにして、天面板に固定されている。固定板金ケース２１ａの周縁には、嵌合ピン２１ｂ、２１ｂを設けている。
【００１９】
前面板金ケース２５をカメラ本体ユニット１０に取り付ける際には、フランジ２５ａを固定板金ケース２１ａと天面板との間に挿入する。すると、嵌合ピン２１ｂが嵌合孔２５ｂに嵌り込み、前面板金ケース２５は、天面板金ケース２１に固定される。
【００２０】
背面板金ケース２６をカメラ本体ユニット１０に取り付ける際には、フランジ２６ａを固定板金ケース２１ａと天面板との間に挿入する。すると、嵌合ピン２１ｂが嵌合孔２６ｂに嵌り込み、背面板金ケース２６は、天面板金ケース２１に固定される。
【００２１】
このときの外装部材の接続状態を図５に示す。図５において、嵌合ピン２１ｂ、２１ｂは、嵌合孔２５ｂおよび嵌合孔２６ｂに嵌り込んでいる。また、固定板金ケース２１ａは、天面板方向に付勢され、フランジ２５ａやフランジ２６ａに押し付けられている。
【００２２】
これにより、前面板金ケース２５および背面板金ケース２６は、天面板金ケース２１に固定される。このため、前面板金ケース２５や背面板金ケース２６を撓ませたとしても、前面板金ケース２５や背面板金ケース２６と天面板金ケース２１との間に隙間が生じることはない。また、前面板金ケース２５、背面板金ケース２６、および固定板金ケース２１ａを導電材料とすることにより、外装部材を互いに電気的に接続できる。そのため、漏電に対して耐性を強化できる。
【００２３】
次に、リペア等のために、前面板金ケース２５や背面板金ケース２６を取り外す場合の動作を図６を用いて説明する。このような場合、前面板金ケース２５および背面板金ケース２６を底面側から持ち上げて、太い矢印Ｆで示す方向に力を加え、矢印Ａで示すように傾ける。すると、フランジ２５ａやフランジ２６ａが固定板金ケース２１ａを矢印Ｂで示すように押し下げる。これにより、嵌合ピン２１ｂと嵌合孔２５ｂとの嵌め合いや嵌合ピン２１ｂと嵌合孔２６ｂとの嵌め合いが解除されて、前面板金ケース２５や背面板金ケース２６が天面板金ケース２１から離脱可能になる。
【００２４】
なお、天面板金ケース２１の外装板は、本発明の天面板の一例である。固定板金ケース２１ａは、本発明の係止板の一例である。フランジ２５ａやフランジ２６ａは、本発明の挿入部の一例である。嵌合ピン２１ｂおよび嵌合孔２５ｂ、または、嵌合ピン２１ｂおよび嵌合孔２６ｂからなる構成は、本発明の固定手段の一例である。さらに、嵌合ピン２１ｂは、本発明の係止板に設けた突起の一例である。嵌合孔２５ｂや嵌合孔２６ｂは、本発明の挿入部に設けた凹部の一例である。カメラ２０は、本発明の撮像装置の一例である。
【００２５】
以上のように、本発明は、本実施の形態に示すカメラ２０によって実現可能であるが、本実施の形態に限定されない。そこで、本発明の他の形態をまとめて以下に説明する。
【００２６】
本実施の形態では、固定板金ケース２１ａに嵌合ピン２１ｂを設け、フランジ２５ａやフランジ２６ａに嵌合孔２５ｂおよび嵌合孔２６ｂを設けたが、本発明はこれに限定されない。例えば、図７に示すように、固定板金ケース２１ａに凹部２１ｃ、２１ｃを設け、フランジ２５ａやフランジ２６ａに突起２５ｃ、２６ｃを設けてもよい。
【００２７】
また本実施の形態では、便宜上、天面板金ケース２１と前面板金ケース２５や背面板金ケース２６との固定について説明したが、底面板金ケース２４と前面板金ケース２５や背面板金ケース２６との固定についても本発明は適用できる。
【００２８】
本実施の形態では、天面板金ケース２１と前面板金ケース２５および背面板金ケース２６とを固定する例を示したが、前面板金ケース２５および背面板金ケース２６のいずれか一方と天面板金ケース２１とを固定する場合にも本発明は適用できる。
【産業上の利用可能性】
【００２９】
本発明は、複数の板金ケースを互いに固定して、外装部材を形成する撮像装置に適用可能である。具体的には、デジタルスチルカメラ、ビデオムービー、カメラ機能付き携帯電話端末などに適用できる。
【図面の簡単な説明】
【００３０】
【図１】本発明の実施の形態にかかるカメラの全体を示す斜視図である。
【図２】同カメラを底面から見た斜視図である。
【図３】同カメラの分解斜視図である。
【図４】同カメラの一部断面の斜視図である。
【図５】同カメラの部分断面図である。
【図６】同カメラの部分断面図である。
【図７】同カメラの他の例を示す部分断面図である。
【符号の説明】
【００３１】
１０    カメラ本体ユニット
２０    カメラ
２１    天面板金ケース
２１ａ    固定板金ケース
２１ｂ    勘合ピン
２１ｃ    凹部
２２ａ、２２ｂ    左側面板金ケース
２３    右側面板金ケース
２４    底面板金ケース
２５    前面板金ケース
２５ａ    フランジ
２５ｂ    勘合孔
２５ｃ    突起
２６    背面板金ケース
２６ａ    フランジ
２６ｂ    勘合孔
２６ｃ    突起
３０ａ〜３０ｆ    ネジ
【図１】
2009048180.tif 000003
【図２】
2009048180.tif 000004
【図３】
2009048180.tif 000005
【図４】
2009048180.tif 000006
【図５】
2009048180.tif 000007
【図６】
2009048180.tif 000008
【図７】
2009048180.tif 000009